(57)【要約】【課題】鏡筒外装部材が被検者の鼻柱などに接触した段階で直ちに検出するか、望ましくは近接した段階で検出し、検者に警告を発する。【解決手段】眼底カメラ本体１の前端部には、対物レンズ２を支持する対物レンズ鏡筒３が設けられている。この対物レンズ鏡筒３の周囲には、略円筒状の柔軟性外装部材４が配置され、この柔軟性外装部材４の内側にはテープ状の歪ゲージ５が貼り付けられている。  眼底カメラ本体１を鼻柱Ｎ側にパンニングした際に、柔軟性外装部材４が被検者の鼻柱Ｎに接触すると柔軟性外装部材４の一部が変形する。この変形により内側に貼り付けられた歪ゲージ５の電気抵抗値が変化し、柔軟性外装部材４が被検者の鼻柱Ｎに接触したことを検知でき、検者に警告を発する。【選択図】図１
2007117248.tif 000002
【特許請求の範囲】
【請求項１】
被検眼の視線方向に対して、対物レンズの光軸を傾けて操作を行う検眼装置において、前記対物レンズの鏡筒外装部材の先端外周部が被検者の顔の一部に接触した段階又は接触寸前に近接したことを検知する検知手段と、該検知手段の検出信号に基づいて警告を発する警告手段とを有することを特徴とする検眼装置。
【請求項２】
前記検知手段は、顔の一部により前記先端外周部に側面方向から圧力を加えられると、前記先端外周部が弾力的に変形又は変位し、該変形又は変位を検知することにより顔の一部との接触を検知することを特徴とする請求項１に記載の検眼装置。
【請求項３】
前記検知手段は歪ゲージとしたことを特徴とする請求項２に記載の検眼装置。
【請求項４】
前記検知手段は、前記先端外周部に被検者の顔の一部が接近すると、その接近を検知する近接スイッチとしたことを特徴とする請求項１に記載の検眼装置。
【発明の詳細な説明】
【技術分野】
【０００１】
本発明は、眼科施設などで使用され、操作時において被検者に対する安全性を向上する検眼装置に関するものである。
【背景技術】
【０００２】
検眼装置の位置合わせ操作時において、対物部を不用意に被検眼角膜に接触させて角膜損傷を与えてしまうことを防止する発明が、特許文献１に開示されている。
【０００３】
この特許文献１は、被検眼の視線方向に沿って検眼装置の対物レンズ部を被検眼に近付ける操作時において、対物レンズ部を適正な作動距離よりも接近させ過ぎて、被検眼角膜に接触させてしまうことを防止する技術が開示されている。
【０００４】
しかし、適正な作動距離を保持したまま、被検眼の視線方向に対して対物レンズの光軸を傾けて眼底撮影などを行う機能を有する検眼装置などにおいて、対物部が被検者の鼻などに当たってしまうことがある。
【０００５】
【特許文献１】特開平７−２５５６７７号公報
【発明の開示】
【発明が解決しようとする課題】
【０００６】
例えば、眼底カメラにより被検眼眼底の周辺領域を撮影する場合は、被検眼角膜と適正な作動距離を維持しながら、被検眼の視線方向に対して眼底カメラの対物レンズ光軸を傾けて眼底撮影を行う。実際には、固視目標により被検眼の視線方向を固定した状態で、被検眼の瞳孔を回転中心として対物レンズ光軸を水平方向に回転させるパンニング操作や垂直方向に俯仰させるチルティング操作を行って、眼底周辺領域を撮影する方法が一般的である。
【０００７】
このような眼底周辺領域の撮影に際して、眼底カメラの対物レンズ光軸を被検者の鼻側に回転させるパンニング操作を行う場合がある。この場合に、被検眼角膜に対して光軸方向では適正で充分な作動距離が維持されていても、鏡筒外装部材が被検者の鼻柱に当たってしまうことがある。また、対物レンズ光軸を上方に俯仰させるチルティング操作時には、被検者の額下部に鏡筒外装部材が当接することがある。
【０００８】
眼底カメラ本体は１０Ｋｇ程度の重量があり、パンニングやチルティング動作時の慣性が大きいために、鏡筒外装部材を被検者の鼻柱などに突き当たっても、検者は感触により感知することが困難である。従って、強い力で鏡筒外装部材を鼻柱などに押し付けてしまい、被検者に不快感を与えることもある。
【０００９】
本発明の目的は、上述の問題点を解消し、対物レンズの鏡筒外装部材が被検者の鼻柱などに接触した段階で直ちに検出するか、或いは接近した段階で検出し、検者に警告を発する安全機能を備えた検眼装置を提供することにある。
【課題を解決するための手段】
【００１０】
上記目的を達成するための本発明に係る検眼装置の技術的特徴は、被検眼の視線方向に対して、対物レンズの光軸を傾けて操作を行う検眼装置において、前記対物レンズの鏡筒外装部材の先端外周部が被検者の顔の一部に接触した段階又は接触寸前に近接したことを検知する検知手段と、該検知手段の検出信号に基づいて警告を発する警告手段とを有することにある。
【発明の効果】
【００１１】
本発明に係る検眼装置によれば、対物レンズ光軸をパンニングやチルティング操作を行う場合においても、鏡筒外装部材が被検者の顔に近接又は軽い接触圧で当接すると直ちに検出し、検者に警告を発することができる。
【発明を実施するための最良の形態】
【００１２】
本発明を図示の実施例に基づいて詳細に説明する。
【実施例１】
【００１３】
図１は実施例１の構成図である。眼底カメラ本体１の前端部には、対物レンズ２を支持する対物レンズ鏡筒３が設けられている。この対物レンズ鏡筒３の周囲には、例えばシリコンゴム材から成る略円筒状の柔軟性外装部材４が配置され、この柔軟性外装部材４の内側にはテープ状の歪ゲージ５が貼り付けられている。なお、柔軟性外装部材４の内径面と対物レンズ鏡筒３の外径面には、所定の隙間６が設けられている。
【００１４】
図２はこの歪ゲージ５の展開図であり、薄いシート面に特殊な抵抗体の導通パターンが印刷されており、シートを僅かに歪ませただけで、歪ゲージ５の電気抵抗値が変化するようになっている。そして、この歪ゲージ５の出力は電気回路７を介してブザーなどの警告発生手段８に接続されている。
【００１５】
被検眼Ｅの耳側眼底周辺領域を撮影するためには、被検眼Ｅの瞳孔Ｉを回転中心として、視線Ｌｓに対して眼底カメラ本体１の対物レンズ２の光軸Ｌを鼻側に回転するパンニング操作をしながら撮影を行う。このような撮影操作において、被検眼Ｅの角膜Ｅｃと対物レンズ２の作動距離は適正であっても、対物レンズ鏡筒３、柔軟性外装部材４をパンニングにより被検者の鼻柱Ｎに接触させてしまうことがある。
【００１６】
このような構成において、眼底カメラ本体１の対物レンズ３の光軸Ｌを鼻柱Ｎ側にパンニングした際に、柔軟性外装部材４が被検者の鼻柱Ｎに軽く接触した段階で、柔軟性外装部材４の一部が変形する。この変形により内側に貼り付けられた歪ゲージ５の電気抵抗値が変化するため、柔軟性外装部材４が被検者の鼻柱Ｎに接触したことを検知でき、電気回路７からの信号を電気的に処理して、警告発生手段８により検者に警告を発する。
【００１７】
このように、鼻柱Ｎに柔軟性外装部材４が軽く接触した段階で直ちに検知がなされ警告を発するので、眼底カメラ本体１に固定された対物レンズ鏡筒３が大きな慣性力による強い力で被検者の鼻柱Ｎに突き当る前に検知され検者に警告される。この警告により、検者はパンニング操作を中止すれば、被検者に不快感を与えたり、怪我をさせてしまうことを回避できる。
【実施例２】
【００１８】
図３は実施例２の要部構成図であり、対物レンズ鏡筒３の先端部外周に２〜４個程度のリミットスイッチ１１が設けられ、その外側に硬性外装部材１２が柔らかな波型座金１３を介してねじ１４により対物鏡筒３に取り付けられている。
【００１９】
この構成により、硬性外装部材１２は側面方向から圧力を加えられると、対物レンズ鏡筒３と偏心する方向に弾力的に傾き、リミットスイッチ１１を押してオン状態にする。
【００２０】
この例では、硬性外装部材１２が被検者の鼻柱Ｎや額下部などに軽く接触すると、対物鏡筒３の外周に設けた複数個のリミットスイッチ１１の何れかがオン状態になり、硬性外装部材１２が鼻柱Ｎに接触したことを検知することができ、実施例１と同様に警告を発することができる。
【実施例３】
【００２１】
図４は実施例３の要部構成図である。対物レンズ鏡筒３の先端外周部に静電容量型の近接センサの電極２１が取り付けられている。静電容量型近接センサの原理及び電気処理回路の説明は省略するが、人体が静電容量型近接センサの電極２１に近接すると、静電容量が変化する原理を利用している。
【００２２】
この静電容量変化の電気信号により、被検者の鼻柱Ｎなどが対物レンズ鏡筒３の先端外周部の電極２１に近接すると、接触する前に非接触で、その接近を検知することができる。
【００２３】
なお、検知手段の実施例はこれらに限らず、眼科装置の対物部が被検者の顔に軽く接触又は近接した段階で検知することを目的とし、この検知手段からの信号に基づいて検者に知らせるための警告を発するようにすればよい。警告手段もブザーなどの音声のみでなく、警告灯の点灯やモニタ内に警告マークを表示することでも支障はない。
【図面の簡単な説明】
【００２４】
【図１】実施例１の構成図である。
【図２】歪ゲージの展開図である。
【図３】実施例２の要部構成図である。
【図４】実施例３の要部構成図である。
【符号の説明】
【００２５】
１  眼底カメラ本体
２  対物レンズ
３  対物レンズ鏡筒
４  柔軟性外装部材
５  歪ゲージ
７  電気回路
８  警告発生手段
１１  リミットスイッチ
１２  硬性外装部材
２１  電極
【図１】
2007117248.tif 000003
【図２】
2007117248.tif 000004
【図３】
2007117248.tif 000005
【図４】
2007117248.tif 000006